(57)【要約】【課題】洗濯槽を本体から外部へ引き出した状態で、上方から洗濯物の出し入れを行うことにより、洗濯物の出し入れの作業性を向上し、洗濯機本体の上部を自由に使用できるドラム式洗濯機を提供する。【解決手段】筐体１０にヒンジ２７を介して取り付けられる外槽２３と、外槽２３の内部で回転自在に制御される洗濯槽９と、外槽２３に固定され洗濯槽９を回転させるモータ８と、筐体１０の前面に設けられるドア１と、シャフトピン２４に回転自在に取り付けられる支点ローラ７とアーム１６と、アーム１６と連結されるアームバー４と、外槽２３を水平方向に支持するロック機構２９と、支点ローラ７を案内支持するガイド部６とで構成する。【選択図】　　　図１
2004113480.tif 000002
【特許請求の範囲】
【請求項１】
筐体と、前記筐体内の上部に回転可能に取り付けられる外槽と、前記外槽の内部で回転自在に制御され衣類の出し入れ口を有する洗濯槽と、前記外槽に固定され前記洗濯槽を回転させるモータと、前記筐体の前面に設けられ前記外槽を前記筐体外部に引き出すドアと、前記筐体内で水平方向にスライド自在に設けられ前記ドアに取り付け固定されるレールと、前記ドアに設けられるガイド溝と、前記モータに固定されるシャフトピンに回転自在に取り付けられる支点ローラと、前記シャフトピンに回転自在に取り付けられるアームと、一端が前記アーム内に挿入され他端が前記ガイド溝に沿って摺動自在に設けられる支点シャフト部を有するアームバーと、前記外槽を水平方向に支持するロック機構と、前記外槽が回転するとき前記支点ローラを案内支持する前記筐体に配置されるガイド部とを有することを特徴とするドラム式洗濯機。
【請求項２】
筐体と、前記筐体内の上部に回転可能に取り付けられる外槽と、前記外槽の内部で回転自在に制御され衣類の出し入れ口を有する洗濯槽と、前記外槽に固定され前記洗濯槽を回転させるモータと、前記筐体の前面に設けられ前記外槽を前記筐体外部に引き出すドアと、前記筐体内で水平方向にスライド自在に設けられ前記ドアに取り付け固定されるレールと、前記ドアに設けられるガイド溝と、前記モータに固定されるシャフトピンに回転自在に取り付けられる支点ローラと、前記シャフトピンに回転自在に取り付けられるアームと、一端が前記アーム内に挿入され他端が前記ガイド溝に沿って摺動自在に設けられる支点シャフト部を有するアームバーと、前記外槽を水平方向に支持するロック機構と、前記外槽が回転するとき前記支点ローラを案内支持する前記筐体に配置されるローラガイド部と、前記ローラガイド部の中空部と前記ドアに設けた中空部とに挿入されるベルトと、前記シャフトピンに回転自在に取り付けられ前記ローラガイド部の中空部にある前記ベルトの一端と連結される結合アームとを有することを特徴とするドラム式洗濯機。
【請求項３】
前記洗濯槽は、前記筐体内で水平向きに配置されることを特徴とする請求項１または２記載のドラム式洗濯機。
【請求項４】
前記洗濯槽は、ドラム端面に衣類の前記出し入れ口を有することを特徴とする請求項１または２記載のドラム式洗濯機。
【請求項５】
前記洗濯槽は、前記ドアを引き出したとき、衣類の前記出し入れ口が上向き位置状態になることを特徴とする請求項１または２記載のドラム式洗濯機。
【請求項６】
前記外槽は、ヒンジを介して前記筐体に取り付けられることを特徴とする請求項１または２記載のドラム式洗濯機。
【請求項７】
前記ロック機構は、前記ドアの移動と連動してロック、解除を行うことを特徴とする請求項１または２記載のドラム式洗濯機。
【請求項８】
前記ロック機構は、ロックアームと、レバアームと、前記ロックアームと前記レバアームとを回転自在に支持するロック支点部と、前記筐体に設けられ前記レバアームに付勢力を与えるスプリングと、前記ロックアームの回転を規制するアームストッパとを有し、前記ドアにレバを介して設けられる押圧部で前記レバアームを押圧し前記スプリングを圧縮して前記ロックアームを垂直方向に回転させ前記ロックアームの先端で前記外槽を水平方向に支持することを特徴とする請求項１または２記載のドラム式洗濯機。
【請求項９】
前記ロック機構は、前記ドアを引き出すとき、前記レバアームを押圧する前記押圧部が前記レバアームから離れ、前記スプリングの復元力により前記レバアームを回転させることで前記ロックアームを回転させ前記外槽の支持を解除することを特徴とする請求項８記載のドラム式洗濯機。
【請求項１０】
前記ドアは、前記外槽の開口部側端面を支持するドラム支持部を有することを特徴とする請求項１または２記載のドラム式洗濯機。
【請求項１１】
前記アームは、前記アームバーが前記アームの挿入部で移動するストロークを制限する止め輪を有することを特徴とする請求項１または２記載のドラム式洗濯機。
【請求項１２】
前記ガイド部は、前記外槽の回転の支点を中心とする円弧形状を有することを特徴とする請求項１記載のドラム式洗濯機。
【請求項１３】
前記ロック機構の前記外槽の支持を解除後、更に前記ドアを引き出したとき、前記外槽は、回転し、前記支点ローラが前記ガイド部上を転がり、前記外槽内の前記洗濯槽の衣類の前記出し入れ口が前記筐体外部に位置することを特徴とする請求項１記載のドラム式洗濯機。
【請求項１４】
前記ベルトは、複数のチェーン部材と連結部材とを有し、前記ドアに設けた中空部にある前記ベルトの端に位置する前記連結部材は、他の連結部材より大径を有することを特徴とする請求項２記載のドラム式洗濯機。
【請求項１５】
前記ドアは、前記ベルトが前記ドアの中空部から外れるのを防止するベルトストッパを有することを特徴とする請求項２記載のドラム式洗濯機。
【請求項１６】
前記ローラガイド部は、前記外槽の回転の支点を中心とする円弧形状を有することを特徴とする請求項２記載のドラム式洗濯機。
【発明の詳細な説明】
【０００１】
【発明の属する技術分野】
本発明は、洗濯槽が水平軸を中心として回転するドラム式洗濯機に関し、特に、洗濯物の出し入れを容易にしたドラム式洗濯機に関する。
【０００２】
【従来の技術】
従来のこの種のドラム式洗濯機１００は、図７に概略構造を示すように、筐体１０２内に支持される外槽１０９と（外槽１０９の支持機構は図示せず）、外槽１０９の内部で回転自在に制御され開閉可能な衣類の出し入れ口１０３を設けた洗濯槽１０４と、洗濯槽１０４を回転させるモータ１０８と、筐体１０２の前面に設けられ開閉扉（図示せず）を設けたドア１０１とで構成されている。
【０００３】
使用者は、衣類の洗濯を行うとき、ドア１０１の開閉扉を開いてから、横向きに設置されている衣類の出し入れ口１０３から衣類を洗濯槽１０４内に入れ、その後通常の洗濯動作が行われる。
【０００４】
上述のドラム式洗濯機１００は、衣類の出し入れ口１０３が高さの低い位置にあるため、使用者は身体をかがめて横向きに設置されている開口部から衣類を洗濯槽１０４内に入れる必要があり、また、洗濯槽１０４に入った衣類を確認する際にも、使用者が身体をかがめて洗濯槽１０４の開口部から内部を見る必要があるという欠点がある。
【０００５】
この欠点を解決すべく、洗濯機本体の下部に本体支持部を設けて、床面から衣類の投入口までの高さを高くし、洗濯物の出し入れを容易にするものがある（例えば、特許文献１参照。）。
【０００６】
しかし、上記特許文献１の技術は、洗濯機本体の下部に本体支持部を設けて、ドラム式洗濯機全体の高さを高くしているため、重心位置が高くなり、転倒角が小さくなるため、安定性が悪くなるという欠点がある。
【０００７】
また、ドラム式洗濯機において、洗濯機本体の上部に本体洗濯物投入蓋を開閉自在に設け、ドラムの円周部分の一部を切り欠いてドラム洗濯物投入蓋を開閉自在に設け、衣類をドラム内に上から入れるものもある（例えば、特許文献２参照。）。
【０００８】
しかし、上記特許文献２の技術は、ドラム洗濯物投入蓋が洗濯機本体の上部に配置されているため、使用者が洗濯機本体の上部を自由に使用できず、また、ドラムの円周部分の一部を切り欠いてドラム洗濯物投入蓋を設けているため、ドラムの端面全体を開口部とする場合よりも、開口部が狭くなるため、大きな衣類の出し入れには、手間がかかり、作業性に不便を生じるという欠点がある。
【０００９】
なお、開口部を大きくすべく、ドラムの円周部分を大きく切り欠いた場合は、高速回転するドラムの強度が弱まるため、ドラムの強度を大きくする必要があり、ドラムの高さ（円筒長さ）、あるいはドラムの直径を増やした場合は、ドラムの端面を開口部とする洗濯機よりも大きな筐体面積が必要になり、ドラム式洗濯機が大型化するという欠点がある。
【００１０】
【特許文献１】
特開平１０ー９９５９０号公報（第３ー４頁、図１）
【特許文献２】
特開平８ー８４８９４号公報（第２ー３頁、図１）
【００１１】
【発明が解決しようとする課題】
上述のように、洗濯槽を水平に配置し、衣類の出し入れ口を洗濯槽の端面に設けたドラム式洗濯機は、衣類の出し入れ口が高さの低い位置にあるため、使用者は身体をかがめて横向きに設置されている開口部から衣類を洗濯槽内に入れる必要があり、また、洗濯槽に入った衣類を確認する際にも、使用者が身体をかがめて洗濯槽の開口部から内部を見る必要があり、作業性が悪いという課題がある。
【００１２】
また、洗濯機本体の下部に本体支持部を設けて、全体の高さを高くして洗濯物の出し入れを容易にしたドラム式洗濯機は、重心位置が高くなり、転倒角が小さくなるため、安定性が悪くなるという課題がある。
【００１３】
さらに、洗濯機本体の上部に本体洗濯物投入蓋を開閉自在に設け、ドラムの円周部分の一部を切り欠いてドラム洗濯物投入蓋を開閉自在に設け、衣類をドラム内に上から入れるドラム式洗濯機は、使用者が洗濯機本体の上部を自由に使用できず、かつ、ドラムの端面全体を開口部とする場合と比較して、開口部が狭くなるため、大きな衣類の出し入れには、手間がかかり、作業性に不便を生じるという課題がある。
【００１４】
本発明の目的は、上記課題を解決すべく、洗濯槽を本体から外部へ引き出した状態で、上方から洗濯物の出し入れを行うことにより、洗濯物の出し入れの作業性を向上し、洗濯機本体の上部を自由に使用できるドラム式洗濯機を提供することに有る。
【００１５】
【課題を解決するための手段】
本発明ドラム式洗濯機は、筐体と、筐体内の上部に回転可能に取り付けられる外槽と、外槽の内部で回転自在に制御され衣類の出し入れ口を有する洗濯槽と、外槽に固定され洗濯槽を回転させるモータと、筐体の前面に設けられ外槽を筐体外部に引き出すドアと、筐体内で水平方向にスライド自在に設けられドアに取り付け固定されるレールと、ドアに設けられるガイド溝と、モータに固定されるシャフトピンに回転自在に取り付けられる支点ローラと、シャフトピンに回転自在に取り付けられるアームと、一端がアーム内に挿入され他端がガイド溝に沿って摺動自在に設けられる支点シャフト部を有するアームバーと、外槽を水平方向に支持するロック機構と、外槽が回転するとき支点ローラを案内支持する筐体に配置されるガイド部とを有することを特徴とする。
【００１６】
本発明ドラム式洗濯機は、筐体と、筐体内の上部に回転可能に取り付けられる外槽と、外槽の内部で回転自在に制御され衣類の出し入れ口を有する洗濯槽と、外槽に固定され洗濯槽を回転させるモータと、筐体の前面に設けられ外槽を筐体外部に引き出すドアと、筐体内で水平方向にスライド自在に設けられドアに取り付け固定されるレールと、ドアに設けられるガイド溝と、モータに固定されるシャフトピンに回転自在に取り付けられる支点ローラと、シャフトピンに回転自在に取り付けられるアームと、一端がアーム内に挿入され他端がガイド溝に沿って摺動自在に設けられる支点シャフト部を有するアームバーと、外槽を水平方向に支持するロック機構と、外槽が回転するとき支点ローラを案内支持する筐体に配置されるローラガイド部と、ローラガイド部の中空部とドアに設けた中空部とに挿入されるベルトと、シャフトピンに回転自在に取り付けられローラガイド部の中空部にあるベルトの一端と連結される結合アームとを有することを特徴とする。
【００１７】
洗濯槽は、筐体内で水平向きに配置されることを特徴とする。
【００１８】
洗濯槽は、ドラム端面に衣類の出し入れ口を有することを特徴とする。
【００１９】
洗濯槽は、ドアを引き出したとき、衣類の出し入れ口が上向き位置状態になることを特徴とする。
【００２０】
外槽は、ヒンジを介して筐体に取り付けられることを特徴とする。
【００２１】
ロック機構は、ドアの移動と連動してロック、解除を行うことを特徴とする。
【００２２】
ロック機構は、ロックアームと、レバアームと、ロックアームとレバアームとを回転自在に支持するロック支点部と、筐体に設けられレバアームに付勢力を与えるスプリングと、ロックアームの回転を規制するアームストッパとを有し、ドアにレバを介して設けられる押圧部でレバアームを押圧しスプリングを圧縮してロックアームを垂直方向に回転させロックアームの先端で外槽を水平方向に支持することを特徴とする。
【００２３】
ロック機構は、ドアを引き出すとき、レバアームを押圧する押圧部がレバアームから離れ、スプリングの復元力によりレバアームを回転させることでロックアームを回転させ外槽の支持を解除することを特徴とする。
【００２４】
ドアは、外槽の開口部側端面を支持するドラム支持部を有することを特徴とする。
【００２５】
アームは、アームバーがアームの挿入部で移動するストロークを制限する止め輪を有することを特徴とする。
【００２６】
ガイド部は、外槽の回転の支点を中心とする円弧形状を有することを特徴とする。
【００２７】
ロック機構の外槽の支持を解除後、更にドアを引き出したとき、外槽は、回転し、支点ローラがガイド部上を転がり、外槽内の洗濯槽の衣類の出し入れ口が筐体外部に位置することを特徴とする。
【００２８】
ベルトは、複数のチェーン部材と連結部材とを有し、ドアに設けた中空部にあるベルトの端に位置する連結部材は、他の連結部材より大径を有することを特徴とする。
【００２９】
ドアは、ベルトがドアの中空部から外れるのを防止するベルトストッパを有することを特徴とする。
【００３０】
ローラガイド部は、外槽の回転の支点を中心とする円弧形状を有することを特徴とする。
【００３１】
【発明の実施の形態】
次に、本発明のドラム式洗濯機の実施の形態について図面を参照して説明する。
【００３２】
図１は、本発明のドラム式洗濯機の第一の実施の形態を示す概略構成断面図である。
【００３３】
図１を参照すると、ドラム式洗濯機４０は、筐体１０と、筐体１０内の上部に回転可能にヒンジ２７を介して水平に取り付けられる外槽２３と、外槽２３の内部で回転自在に制御され衣類の出し入れ口２８を有する洗濯槽９と、外槽２３に固定され洗濯槽９を回転させるモータ８と、筐体１０の前面に設けられ外槽２３の開口部側端面２３ａを支持するドラム支持部１ａを有し、外槽２３を筐体１０外部に引き出すドア１と、筐体１０内で水平方向にスライド自在に設けられドア１に取り付け固定されるレール５と、ドア１に設けられるガイド溝２と、モータ８に固定されるシャフトピン２４に回転自在に取り付けられる支点ローラ７と、シャフトピン２４に回転自在に取り付けられ中空部１６ａに止め輪１５を有するアーム１６と、一端がアーム１６の中空部１６ａに挿入され他端がガイド溝２に沿って摺動自在に設けられる支点シャフト部３を有するアームバー４と、外槽２３を水平方向に支持するロック機構２９と、外槽２３が回転するとき支点ローラ７を案内支持し、ヒンジ２７の支点２７ａを中心とする円弧形状を有し筐体１０に配置されるガイド部６とで構成される。
【００３４】
ロック機構２９は、ロックアーム１１と、レバアーム２６と、ロックアーム１１とレバアーム２６とを回転自在に支持するロック支点部２０と、筐体１０に設けられレバアーム２６に付勢力を与えるスプリング１２と、ロックアーム１１の回転を規制するアームストッパ２２とから構成され、ドア１にレバ２５を介して設けられる押圧部１３でレバアーム２６を押圧し、スプリング１２を圧縮した状態でロックアーム１１を垂直になる位置に回転させ、ロックアーム先端１１ａで外槽２３を水平方向に支持するよう構成されている。
【００３５】
筐体１０下部には、ドア１に取り付けられたレール５の先端部５ａによりレール５の水平方向への移動を停止させるレールストッパ１９を設けたサブレール１７が配置され、サブレール１７によりドア１に固定されたレール５と筐体１０とを接続する構成としている。
【００３６】
次に、上述のように構成されたドラム式洗濯機４０の動作について、図面を参照して説明する。
【００３７】
図２、図３は、ドラム式洗濯機４０の動作を説明するための図である。
【００３８】
先ず、図１を参照すると、洗濯を行う状態では、外槽２３は水平方向に保持されており、洗濯槽９の衣類の出し入れ口２８は横向きになっている。
【００３９】
図１の状態からドア１を筐体１０から外方向に引き出すと、外槽２３の端面２３ａを支持しているドア１のドラム支持部１ａから外槽２３が解放されフリーになると共に、押圧部１３によるレバアーム２６への押圧力が解除され、スプリング１２の復元力によりロック支点部２０を中心としてレバアーム２６、ロックアーム１１を回転させ、ロックアーム１１がアームストッパ２２に当接するところでロック機構２９の回転は停止する。
【００４０】
このとき、アームバー４は、アーム１６内の中空部１６ａを移動し、アームバー４の先端部４ａがアーム１６に設けた止め輪１５の位置まで移動し、一方、レール５は、レール５の先端部５ａがサブレール１７に設けたレールストッパ１９と接触する位置まで移動し、先端部５ａがレールストッパ１９と接続され、図２の状態となる。
【００４１】
図２の状態から更にドア１を引き出すと、レールストッパ１９によりドア１に固定されているレール５と接続されたサブレール１７が筐体１０の外方向へ移動し、アームバー４の支点シャフト部３はガイド溝２に沿って上方向へ移動し、アームバー４と連結されるアーム１６は左方向へ回転し、シャフトピン２４にアーム１６と共に回転自在に取り付けられた支点ローラ７が、ガイド部６に沿って下方向へ移動することにより、ヒンジ２７に固定された外槽２３は、支点２７ａを中心に回転して、洗濯槽９の衣類の出し入れ口２８が筐体１０外部で上向き状態となる（図３）。
【００４２】
次に、外槽９を筐体１０内に収納する動作について説明する。
【００４３】
図３において、ドア１を筐体１０の内部方向に押し込むと、ドア１に固定されているレール５はサブレール１７と共に筐体１０内部方向へ移動し、シャフトピン２４にアームバー４と連結されているアーム１６と共に回転自在に取り付けられた支点ローラ７が、ガイド部６上を上方向へ移動することにより、外槽９はヒンジ２７の支点２７ａを中心として回転する。
【００４４】
サブレール１７が筐体１０の後方のガイド部６と接触した後、レール５の先端部５ａがレイルストッパ１８から外れ、レール５が単独で筐体１０の内部方向へ移動するが、外槽９が回転して水平方向になると、アームバー４の先端部４ａが止め輪１５から離れ、アームバー４がアーム１６の中空部１６ａを左方向へ移動し、このとき、ドア１にレバ２５を介して固定された押圧部１３が、ロック機構２９のレバアーム２６と接触し押圧することにより、ロックアーム１１がロック支点部２０を支点として右方向に回転し、ロックアーム１１を垂直になる位置まで回転させ、ロックアーム先端１１ａで外槽２３を水平方向に支持する。
【００４５】
次に、本発明のドラム式洗濯機の第二の実施の形態について図面を参照して説明する。
【００４６】
図４は、本発明のドラム式洗濯機５０の第二の実施の形態を示す概略構成断面図である（なお、第一の実施の形態のドラム式洗濯機４０と同一構成要素は、同一符号で表記している）。
【００４７】
図４を参照すると、ドラム式洗濯機５０は、筐体１０と、筐体１０内の上部に回転可能にヒンジ２７を介して水平に取り付けられる外槽２３と、外槽２３の内部で回転自在に制御され衣類の出し入れ口２８を有する洗濯槽９と、外槽２３に固定され洗濯槽９を回転させるモータ８と、筐体１０の前面に設けられ外槽２３の開口部側端面２３ａを支持するドラム支持部３１ａを有し外槽２３を筐体１０外部に引き出すドア３１と、筐体１０内で水平方向にスライド自在に設けられドア３１に取り付け固定されるレール５と、ドア３１に設けられるガイド溝２と、モータ８に固定されるシャフトピン２４に回転自在に取り付けられる支点ローラ７と、シャフトピン２４に回転自在に取り付けられ中空部１６ａに止め輪１５を有するアーム１６と、一端がアーム１６の中空部１６ａに挿入され他端がガイド溝２に沿って摺動自在に設けられる支点シャフト部３を有するアームバー４と、外槽２３を水平方向に支持するロック機構２９と、外槽２３が回転するとき支点ローラ７を案内支持し、ヒンジ２７の支点２７ａを中心とする円弧形状を有し筐体１０に配置されるローラーガイド部３０と、ローラガイド部３０の中空部３０ａとドア３１に設けた中空部３１ａとに挿入されるベルト３７と、シャフトピン２４に回転自在に取り付けられローラガイド部３０の中空部３０ａにあるベルト３７の一端と連結される結合アーム３２とで構成される。
【００４８】
ベルト３７は、複数のチェーン部材３７ａと連結部材３７ｂとで構成され、ドア３１に設けた中空部３１ａにあるベルト３７の端に位置する連結部材３７ｂは、他の連結部材３７ｂより大径を有し、ドア３１は、ベルト３７がドア３１の中空部３１ａから外れるのを防止するベルトストッパ１８を設けて構成される。
【００４９】
ロック機構２９は、ロックアーム１１と、レバアーム２６と、ロックアーム１１とレバアーム２６とを回転自在に支持するロック支点部２０と、筐体１０に設けられレバアーム２６に付勢力を与えるスプリング１２と、ロックアーム１１の回転を規制するアームストッパ２２とから構成され、ドア１にレバ２５を介して設けられる押圧部１３でレバアーム２６を押圧し、スプリング１２を圧縮した状態でロックアーム１１を垂直になる位置に回転させ、ロックアーム先端１１ａで外槽２３を水平方向に支持するよう構成されている。
【００５０】
次に、上述のように構成されたドラム式洗濯機５０の動作について、図面を参照して説明する。
【００５１】
図４、図５は、ドラム式洗濯機５０の動作を説明するための図である。
【００５２】
先ず、図４を参照すると、洗濯を行う状態では、外槽２３は水平方向に保持されており、洗濯槽９の衣類の出し入れ口２８は横向きになっている。
【００５３】
図４の状態からドア３１を筐体１０から外方向に引き出すと、外槽２３の端面２３ａを支持しているドア３１のドラム支持部３１ａから外槽２３が解放されフリーになると共に、押圧部１３によるレバアーム２６への押圧力が解除され、スプリング１２の復元力によりロック支点部２０を中心としてレバアーム２６、ロックアーム１１を回転させ、ロックアーム１１がアームストッパ２２に当接するところでロック機構２９の回転は停止する。
【００５４】
このとき、アームバー４は、アーム１６内の中空部１６ａを移動し、アームバー４の先端部４ａがアーム１６に設けた止め輪１５の位置まで移動するが、ドア３１に設けた中空部３１ｂにあるベルト３７の端に位置する連結部材３７ｂは、ベルトストッパ１８に接触し、図５の状態となる。
【００５５】
図５の状態から更にドア３１を引き出すと、ドア３１に固定されているレール５が筐体１０の外方向へ移動し、ベルト３７の一端と連結される結合アーム３２は、ベルト３７と共に移動し、シャフトピン２４に結合アーム３２と共に回転自在に取り付けられる支点ローラ７がローラーガイド部３０の円弧部に沿って下方に回転移動する。
【００５６】
このとき、アームバー４の支点シャフト部３はガイド溝２に沿って上方向へ移動し、アームバー４と連結されるアーム１６は左方向へ回転し、ヒンジ２７に固定された外槽２３は、支点２７ａを中心に回転して、洗濯槽９の衣類の出し入れ口２８が筐体１０外部で上向き状態となる（図６）。
【００５７】
次に、外槽９を筐体１０内に収納する動作について説明する。
【００５８】
図６において、ドア３１を筐体１０の内部方向に押し込むと、ドア３１に固定されているレール５は、筐体１０内部方向へ移動し、ドア３１内のベルト３７先端の連結部材３７ｂは、ベルトストッパ１８から離れドア３１の中空部３１ｂの端面と接触し、ベルト３７は、ローラーガイド部３０の中空部３０ａを上方に移動し、シャフトピン２４にベルト３７と連結される結合アーム３２と共に回転自在に取り付けられる支点ローラ７がローラーガイド部３０の円弧部に沿って上方に回転移動する。
【００５９】
シャフトピン２４にアームバー４と連結されているアーム１６と共に回転自在に取り付けられた支点ローラ７が、ガイド部６上を上方向へ移動することにより、外槽９はヒンジ２７の支点２７ａを中心として左回転する。
【００６０】
外槽９が回転して水平方向になると、アームバー４の先端部４ａが止め輪１５から離れ、アームバー４がアーム１６の中空部１６ａを左方向へ移動し、このとき、ドア３１にレバ２５を介して固定された押圧部１３が、ロック機構２９のレバアーム２６と接触し押圧することにより、ロックアーム１１がロック支点部２０を支点として右方向に回転し、ロックアーム１１を垂直になる位置まで回転させ、ロックアーム先端１１ａで外槽２３を水平方向に支持する。
【００６１】
上述ように、ドラム式洗濯機４０、５０は、ドアを引き出すことにより、筐体１０の上部に設けたヒンジ２７の支点２７ａを中心として外槽２３を回転させて洗濯槽９を筐体１０の外部へ引き出し可能な構成としている為、上方から洗濯物の出し入れを行うことができ、洗濯物の出し入れの作業性を向上させ、且つ、ドラム式洗濯機本体の上部を自由に使用できるという効果がある。
【００６２】
【発明の効果】
以上説明したように、本発明のドラム式洗濯機は、洗濯槽を本体から外部へ引き出した状態で、上方から洗濯物の出し入れを行うことができ、洗濯物の出し入れの作業性を向上させ、且つ、洗濯機本体の上部を自由に使用できるという効果がある。
【００６３】
また、洗濯槽の円筒部分の端面全体を開口部とした衣類の取り出し口を設けているため、大きな衣類の取り出しが容易にできるという効果がある。
【図面の簡単な説明】
【図１】本発明のドラム式洗濯機の第一の実施の形態を示す概略構成断面図である。
【図２】第一の実施の形態のドラム式洗濯機の動作を説明するための図である。
【図３】第一の実施の形態のドラム式洗濯機の動作を説明するための図である。
【図４】本発明のドラム式洗濯機の第二の実施の形態を示す概略構成断面図である。
【図５】第二の実施の形態のドラム式洗濯機の動作を説明するための図である。
【図６】第二の実施の形態のドラム式洗濯機の動作を説明するための図である。
【図７】従来のドラム式洗濯機の概略構造を示す図である。
【符号の説明】
１、３１　　ドア
１０１　　ドア
１ａ、３１ａ　　ドラム支持部
２　　ガイド溝
３　　支点シャフト部
４　　アームバー
４ａ　　先端部
５　　レール
５ａ　　先端部
６　　ガイド部
７　　支点ローラ
８、１０８　　モータ
９、１０４　　洗濯槽
１０、１０２　　筐体
１１　　ロックアーム
１１ａ　　ロックアーム先端
１２　　スプリング
１３　　押圧部
１５　　止め輪
１６　　アーム
１６ａ　　中空部
１７　　サブレール
１９　　レールストッパ
２０　　ロック支点部
２２　　アームストッパ
２３、１０９　　外槽
２３ａ　　端面
２４　　シャフトピン
２５　　レバ
２６　　レバアーム
２７　　ヒンジ
２７ａ　　支点
２８、１０３　　出し入れ口
２９　　ロック機構
３０　　ローラガイド部
３０ａ、３１ｂ　　中空部
３２　　結合アーム
３７　　ベルト
３７ａ　　チェーン部材
３７ｂ　　連結部材
４０、５０　　ドラム式洗濯機
１００　　ドラム式洗濯機
【図１】
2004113480.tif 000003
【図２】
2004113480.tif 000004
【図３】
2004113480.tif 000005
【図４】
2004113480.tif 000006
【図５】
2004113480.tif 000007
【図６】
2004113480.tif 000008
【図７】
2004113480.tif 000009